(57)【要約】      （修正有）【課題】携帯端末装置のクレードル装置への装着を容易且つ確実に行う。【解決手段】通信用端子が設けられた携帯端末装置が着脱可能なクレードル本体部１０と、携帯端末装置のクレードル本体部１０への装着時に通信用端子が摺接可能な位置に設けられた導電性端子バネ４１と、携帯端末装置のクレードル本体部１０への非装着時に導電性端子バネ４１を収納し、携帯端末装置のクレードル本体部１０への装着時に当該携帯端末装置の下部が当接したとき導電性端子バネ４１を露出させる可動ホルダ３１と、を備える。【選択図】図４
0003135216.tif 000002
【実用新案登録請求の範囲】
【請求項１】
導電性接点が設けられた携帯端末装置が着脱可能なクレードル本体部と、
前記携帯端末装置の前記クレードル本体部への装着時に前記導電性接点が摺接可能な位置に設けられた導電性端子バネと、
前記携帯端末装置の前記クレードル本体部への非装着時に前記導電性端子バネを収納し、前記携帯端末装置の前記クレードル本体部への装着時に当該携帯端末装置の下部が当接したとき前記導電性端子バネを露出させる可動ホルダと、
を備えたクレードル装置。
【請求項２】
前記可動ホルダは、
前記携帯端末装置の装着に伴う下部当接時の押圧力により装着方向に沿って回動するように前記クレードル本体部に軸支されており、前記携帯端末装置の離脱時に前記導電性端子バネを収納する元の位置に自動復帰するよう付勢されている請求項１に記載のクレードル装置。
【請求項３】
前記クレードル本体部には前記可動ホルダの回動範囲を規制するストッパーが設けられている請求項２に記載のクレードル装置。
【請求項４】
前記ストッパーには、前記クレードル本体部に前記可動ホルダの回動方向に沿って開口され前記可動ホルダの一部が遊嵌可能な切欠孔及び当該切欠孔の内端面が設けられている請求項３に記載のクレードル装置。
【請求項５】
前記可動ホルダには、前記導電性端子バネの前記導電性接点に摺接する部分が出没可能に切欠かれたスリットが設けられている請求項１から４のいずれか一項に記載のクレードル装置。
【請求項６】
前記導電性端子バネは、
前記携帯端末装置に設けられた導電性接点の数に対応する数だけ設けられ、前記可動ホルダのスリットは前記導電性端子バネの数及び位置に対応する数及び位置に形成されている請求項１から５のいずれか一項に記載のクレードル装置。
【考案の詳細な説明】
【技術分野】
【０００１】
本考案はクレードル装置に関する。
【背景技術】
【０００２】
従来から、携帯用の情報通信端末装置（携帯端末装置）を装着可能なクレードル装置が知られている。携帯端末装置がクレードル装置に対して装着されることにより、携帯端末装置の電気的接続部とクレードル装置の電気的接続部とが接続される。これにより、携帯端末装置の充電や携帯端末装置とＰＣ（Personal Computer）等との通信を行うことが可能となる。
【０００３】
携帯端末装置をクレードル装置に装着する技術としては、クレードル装置の勘合リブの凸部を携帯端末装置の勘合用溝に嵌合わせながら、携帯端末装置をスライドさせて装着する技術が知られている（例えば、特許文献１参照）。
【特許文献１】特開２００３−２０４３８０号公報
【考案の開示】
【考案が解決しようとする課題】
【０００４】
しかしながら、上記の技術では、ユーザは、クレードル装置の勘合リブの凸部を携帯端末装置の勘合用溝に嵌合わせるための力を要する。このため、ユーザは、携帯端末装置をクレードル装置に対して装着する場合、力を入れて行う必要があった。
【０００５】
本考案の課題は、携帯端末装置のクレードル装置への装着を容易且つ確実に行うことである。
【課題を解決するための手段】
【０００６】
以上の課題を解決するため、請求項１に記載の考案のクレードル装置は、
導電性接点が設けられた携帯端末装置が着脱可能なクレードル本体部と、
前記携帯端末装置の前記クレードル本体部への装着時に前記導電性接点が摺接可能な位置に設けられた導電性端子バネと、
前記携帯端末装置の前記クレードル本体部への非装着時に前記導電性端子バネを収納し、前記携帯端末装置の前記クレードル本体部への装着時に当該携帯端末装置の下部が当接したとき前記導電性端子バネを露出させる可動ホルダと、を備える。
【０００７】
請求項２に記載の考案は、請求項１に記載のクレードル装置において、
前記可動ホルダは、
前記携帯端末装置の装着に伴う下部当接時の押圧力により装着方向に沿って回動するように前記クレードル本体部に軸支されており、前記携帯端末装置の離脱時に前記導電性端子バネを収納する元の位置に自動復帰するよう付勢されている。
【０００８】
請求項３に記載の考案は、請求項２に記載のクレードル装置において、
前記クレードル本体部には前記可動ホルダの回動範囲を規制するストッパーが設けられている。
【０００９】
請求項４に記載の考案は、請求項３に記載のクレードル装置において、
前記ストッパーには、前記クレードル本体部に前記可動ホルダの回動方向に沿って開口され前記可動ホルダの一部が遊嵌可能な切欠孔及び当該切欠孔の内端面が設けられている。
【００１０】
請求項５に記載の考案は、請求項１から４のいずれか一項に記載のクレードル装置において、
前記可動ホルダには、前記導電性端子バネの前記導電性接点に摺接する部分が出没可能に切欠かれたスリットが設けられている。
【００１１】
請求項６に記載の考案は、請求項１から５のいずれか一項に記載のクレードル装置において、
前記導電性端子バネは、
前記携帯端末装置に設けられた導電性接点の数に対応する数だけ設けられ、前記可動ホルダのスリットは前記導電性端子バネの数及び位置に対応する数及び位置に形成されている。
【考案の効果】
【００１２】
本考案によれば、携帯端末装置のクレードル装置への装着を容易に且つ確実に行うことができる。  
【考案を実施するための最良の形態】
【００１３】
以下、添付図面を参照して本考案に係る実施の形態の一例を詳細に説明する。ただし、考案の範囲は、図示例に限定されない。
【００１４】
図１〜図５を参照して、本考案に係る実施の形態の一例を説明する。
先ず、図１を参照して、携帯端末装置２がクレードル装置１に対して装着された場合の概略図を説明する。クレードル装置１は、携帯端末装置２が装着されると、当該携帯端末装置２とＰＣ等の外部機器（図示省略）との通信接続や携帯端末装置２の充電を行う。また、クレードル装置１は、クレードル本体部１０を有する。クレードル本体部１０は、携帯端末装置２が着脱可能な部品である。クレードル本体部１０は、後述するホールド部品３２を有する。以下、本実施の形態では、携帯端末装置２のクレードル本体部１０に対する着脱は、携帯端末装置２のクレードル装置１に対する着脱に等しいこととして説明する。
携帯端末装置２は、ハンディターミナルやＰＤＡ（Personal Digital Assistant）等の携帯用の携帯端末装置である。
【００１５】
次いで、図２を参照して、携帯端末装置２の背面の概略図を説明する。携帯端末装置２は、下部に導電性接点としての通信用端子２１及び充電用端子２２が設けられている。通信用端子２１は、ＰＣ等の外部機器と通信するための端子である。通信用端子２１が後述するクレードル装置１の導電性端子バネ４１と電気的に接続されると、携帯端末装置２は、クレードル装置１を中継してＰＣ等の外部機器と通信接続する。
【００１６】
充電用端子２２は、携帯端末装置２を充電するための端子である。充電用端子２２がクレードル装置１の電気的接続端子（図示省略）と電気的に接続されると、携帯端末装置２には、クレードル装置１を中継して電源（図示省略）から電力が供給される。
【００１７】
次いで、図３を参照して、クレードル装置１の内部構造を説明する。図３に示すクレードル装置１は、可動ホルダ３１と、ホールド部３２と、を備えて構成される。
【００１８】
可動ホルダ３１は、携帯端末装置２のクレードル本体部１０への非装着時に後述する導電性端子バネ４１を収納する。また、携帯端末装置２のクレードル本体部１０への装着時に携帯端末装置２の下部が当接したとき導電性端子バネ４１を露出させる。
また、可動ホルダ３１は、軸３１Ｂを有する。具体的には、可動ホルダ３１の軸３１Ｂは、携帯端末装置２の装着に伴う下部当接時の押圧力により装着方向に沿って回動するようにクレードル本体部１０のホールド部３２に軸支されている。
【００１９】
また、可動ホルダ３１は、スリット３１Ａが形成されている。具体的には、スリット３１Ａは、導電性端子バネ４１の通信用端子２１に摺接する部分が出没可能に切欠かれたスリットである。また、スリット３１Ａは、導電性端子バネ４１の数及び位置に対応する数及び位置に形成される。本実施の形態では、導電性端子バネ４１は、クレードル装置１の正面方向（図１の矢印方向）に４個備えられており、スリット３１Ａは、当該導電性端子バネ４１と対応する位置に４つ形成されているものとする。
【００２０】
次いで、図４を参照して、携帯端末装置２のクレードル本体部１０への非装着時におけるクレードル装置１の状態を説明する。図４に、携帯端末装置２のクレードル本体部１０への非装着時におけるクレードル装置１の構成を示す。図４に示すクレードル装置１は、可動ホルダ３１と、ホールド部３２と、導電性端子バネ４１と、プリント基板４２と、動作用バネ４３と、を備えて構成される。
【００２１】
ホールド部３２は、クレードル本体部１０に含まれ、可動ホルダ３１、導電性端子バネ４１、及び動作用バネ４３を保持する部品である。
また、ホールド部３２は、ストッパーとしての切欠孔３２Ａ及び内端面３２Ｂが設けられている。切欠孔３２Ａ及び内端面３２Ｂ、３２Ｃは、可動ホルダ３１の回動範囲を規制する。切欠孔３２Ａは、クレードル本体部１０に可動ホルダ３１の回動方向に沿って開口され、可動ホルダの一部（可動ホルダ３１のツメ３１Ｃ）が遊嵌可能な切欠孔である。また、内端面３２Ｂ、３２Ｃは、切欠孔３２Ａの内端面である。
【００２２】
導電性端子バネ４１は、携帯端末装置２のクレードル本体部１０への装着時（後述する図５の状態の時）に携帯端末装置２の通信用端子２１が摺接可能な位置に設けられている。また、導電性端子バネ４１は、携帯端末装置２に設けられた通信用端子２１の数に対応する数だけ設けられる。
【００２３】
また、導電性端子バネ４１は、根元部４１Ａにコイル状のバネを備え、可動性を有する。また、導電性端子バネ４１は、導電性端子バネ４１を固定する固定部（図示省略）によりプリント基板４２に固定される。
【００２４】
プリント基板４２は、導電性端子バネ４１及びＵＳＢ（Universal Serial Bus）コネクタ（図示省略）等と電気的に接続される。例えば、導電性端子バネ４１が携帯端末装置２の通信用端子２１と電気的に接続されており、クレードル本体部１０に設けられているＵＳＢコネクタ（図示省略）がＵＳＢケーブルを介してＰＣと電気的に接続されているとする。この場合、プリント基板４２は、導電性端子バネ４１及びＵＳＢコネクタと電気的に接続されているので、プリント基板４２を介して、携帯端末装置２がＰＣと電気的に接続される。
【００２５】
動作用バネ４３は、可動ホルダ３１と、ホールド部３２とに挟み込まれる形で取り付けられる。また、動作用バネ４３は、携帯端末装置２のクレードル本体部１０への非装着時に、導電性端子バネ４１を収納する位置に可動ホルダ３１を付勢させる。
例えば、動作用バネ４３が圧縮状態（後述する図５の状態）から復元状態（図４の状態）になったとする。この場合、可動ホルダ３１の露出部分３１Ｄは、動作用バネ４３の弾性力により押し上げられる。すなわち、可動ホルダ３１は、携帯端末装置２の離脱時に導電性端子バネ４１を収納する元の位置に自動復帰するように付勢される。可動ホルダ３１の露出部分３１Ｄが押し上げられると、導電性端子バネ４１は可動ホルダ３１により収納される。この状態で、導電性端子バネ４１は、外力による変形から保護される。
【００２６】
また、動作用バネ４３の弾性力により可動ホルダ３１の露出部分３１Ｄが押し上げられる位置は、可動ホルダのツメ３１Ｃがホールド部３２の切欠孔の内端面３２Ｂに接触する位置により決まる。同様に、動作用バネ４３の弾性力により可動ホルダ３１の露出部分３１Ｄが押し下げられる位置は、可動ホルダのツメ３１Ｃがホールド部３２の内端面３２Ｃに接触する位置により決まる。すなわち、可動ホルダ３１は、ホールド部３２の切欠孔３２Ａの範囲のみ移動可能であり、回動範囲が規制される。
【００２７】
次いで、図５を参照して、携帯端末装置２のクレードル本体部１０への装着時におけるクレードル装置１の状態を説明する。図５に、携帯端末装置２のクレードル本体部１０への装着時のクレードル装置１の構成を示す。図５に示すクレードル装置１の構成は、図４と同様である。以下、図４と異なる部分を主として説明する。
【００２８】
先ず、ユーザにより携帯端末装置２が可動ホルダ３１に当接する位置まで運ばれる。そして、ユーザの手から携帯端末装置２が離される。ユーザの手から携帯端末装置２が離されると、携帯端末装置２が可動ホルダ３１に当接し、当接力が可動ホルダ３１に働く。ここで、当接力とは、携帯端末装置２の下部が可動ホルダ３１に当接することにより、可動ホルダ３１に働く押圧力のことをいう。ここで、可動ホルダ３１の軸３１Ｂは、携帯端末装置２の装着に伴う下部当接時の押圧力により装着方向に沿って回動するようにクレードル本体部１０のホールド部３２に軸支されている。したがって、当接力により可動ホルダ３１の露出部分３１Ｄは、軸３１Ｂを中心に回動して押し下げられる。このとき、可動ホルダ３１の露出部分３１Ｄは、可動ホルダ３１のツメ３１Ｃがホールド部３２Ｃの内端面３２Ｃに接触する位置まで押し下げられる。
【００２９】
ここで、可動ホルダ３１には導電性端子バネ４１の数及び位置に対応する数及び位置にスリット３１Ａが形成されている。したがって、可動ホルダ３１が押し下げられると、導電性端子バネ４１が露出される。導電性端子バネ４１が露出されると、携帯端末装置２がクレードル本体部１０に差し込まれる方向（図５の矢印Ａの方向）で導電性端子バネ４１が携帯端末装置２の通信用端子２１と摺接する。導電性端子バネ４１が通信用端子２１と摺接すると、導電性端子バネ４１が携帯端末装置２の通信用端子２１と電気的に接続する。また、このとき、クレードル装置１の電気的接続端子（図示省略）が携帯端末装置２の充電用端子２２と当接する。これにより、クレードル装置１の電気的接続端子が携帯端末装置２の充電用端子２２に電気的に接続する。
導電性端子バネ４１が通信用端子２１と摺接し、図５の状態となった場合、携帯端末装置２のクレードル本体部１０（クレードル装置１）に対する装着が完了する。
【００３０】
以上、本実施の形態によれば、クレードル装置１は、携帯端末装置２のクレードル本体部１０への装着時に、携帯端末装置２の下部が当接したとき導電性端子バネ４１を露出させる可動ホルダ３１と、通信用端子２１が摺接可能な位置に設けられる導電性端子バネ４１と、を備える。これにより、ユーザは、力を要することなく導電性端子バネ４１を携帯端末装置２の通信用端子２１に摺接させることができるので、携帯端末装置２のクレードル本体部１０（クレードル装置１）への装着を容易且つ確実に行うことができる。また、携帯端末装置２のクレードル本体部１０への非装着時に、可動ホルダ３１が導電性端子バネ４１を収納する。これにより、導電性端子バネ４１を、外力による変形から保護することができる。
【００３１】
また、可動ホルダ３１は、携帯端末装置２の離脱時に導電性端子バネ４１を収納する元の位置に自動復帰するよう付勢されている。これにより、導電性端子バネ４１を、外力による変形から保護することができる。
【００３２】
また、ストッパーである切欠孔３２Ａ、及び内対面３２Ｂ、３２Ｃにより、可動ホルダ３１の回動範囲を規制することができる。これにより、例えば、携帯端末装置２のクレードル本体部１０への非装着時に、故意に可動ホルダ３１が押された場合であっても、導電性端子バネ４１はわずかしか露出されないので、導電性端子バネ４１の破損を防ぐことができる。
【００３３】
また、可動ホルダ３１の回動範囲を規制する構成として、クレードル本体部１０に可動ホルダ３１の回動方向に沿って開口され、可動ホルダの一部（可動ホルダ３１のツメ３１Ｃ）が遊嵌可能な切欠孔３２Ａ及び切欠孔３２Ａの内端面である内端面３２Ｂ、３２Ｃを設けることができる。
【００３４】
また、可動ホルダ３１には、導電性端子バネ４１の通信用端子２１に摺接する部分が出没可能に切り欠かれたスリット３１Ａが設けられている。これにより、携帯端末装置２のクレードル本体部１０への装着時に当該携帯端末装置２の下部が当接したとき、導電性端子バネ４１を露出させることができる。
【００３５】
また、導電性端子バネ４１は、携帯端末装置２に設けられた通信用端子２１の数に対応する数だけ設けることができる。また、スリット３１Ａは、導電性端子バネ４１の数及び位置に対応する数及び位置に形成することができる。
【００３６】
なお、上記実施の形態における記述は、本考案に係るクレードル装置の一例であり、これに限定されるものではない。
【００３７】
例えば、上記実施の形態では、可動ホルダ３１が軸３１Ｂを中心に回動することにより導電性端子バネ４１が露出する構成としたが、これに限定されるものではない。例えば、可動ホルダ３１が平行移動することにより、導電性端子バネ４１が露出、又は収納される構成としてもよい。
【００３８】
また、上記実施の形態では、携帯端末装置２の背面に通信用端末２１が備えられ、クレードル装置１の正面に導電性端子バネ４１を備える構成としたが、これに限定されるものではない。例えば、携帯端末装置２の側面に通信用端子２１が備えられている場合、クレードル装置１の側面に導電性端子バネ４１を備える構成としてもよい。
【００３９】
また、上記実施の形態では、導電性端子バネ４１を通信用端子２１と摺接させる構成としたが、これに限定されるものではない。例えば、導電性端子バネ４１を充電用端子２２と摺接させる構成としてもよい。
【００４０】
その他、上記の実施の形態におけるクレードル装置１の細部構成及び詳細動作に関しても、本考案の趣旨を逸脱しない範囲で適宜変更可能である。
【図面の簡単な説明】
【００４１】
【図１】本考案に係るクレードル装置の概略図である。
【図２】携帯端末装置の概略図である。
【図３】クレードル装置の背面図である。
【図４】携帯端末装置のクレードル本体部への非装着時のクレードル装置の構成図である。
【図５】携帯端末装置のクレードル本体部への装着時のクレードル装置の構成図である。
【符号の説明】
【００４２】
１  クレードル装置
２  携帯端末装置
１０  クレードル本体部
２１  通信用端子
２２  充電用端子
３１  可動ホルダ
３１Ａ  スリット
３１Ｂ  軸
３１Ｃ  可動ホルダのツメ
３２  ホールド部
３２Ａ  切欠孔
３２Ｂ  内端面
４１  導電性端子バネ
４２  プリント基板
４３  動作用バネ
【図１】
0003135216.tif 000003
【図２】
0003135216.tif 000004
【図３】
0003135216.tif 000005
【図４】
0003135216.tif 000006
【図５】
0003135216.tif 000007